Podtech/llm-jp-corpus-v4-ja_patent huggingface dataset:
(57)【要約】      （修正有）【課題】発電装置に必要な条件は、回転箇所が周回軌道である事であり、稼働が昼夜兼行である事であり、建造部品が安い事です。本装置は、これらの機能を可能にする。【解決手段】浮力タンク１１は、中段ギヤー１３により方向転換して水が入り重力が働いて上昇する。其の後下段ギヤー１４により方向転換してエアーが入り浮力が働いて上昇する。浮力タンクは、昼夜兼行で周回軌道に入る。巨大水槽には、真水又は海水を使用する。装置に使用する部品の劣化を防止する為に材質検討と部品の量産を決行する。【選択図】図２
2012052519.tif 000002
【特許請求の範囲】
【請求項１】
巨大水槽内部にて、中段に２個のギヤーと下段に２個のギヤーをセットし、合計４個のギヤー回りを、１本のチェーンが回転するようセットする。このセットと平行に中段に２個のギヤーと下段に２個のギヤーをセットし、ギヤー回りをチェーンが回転するようにセットする。２本のチェーンの間に複数の浮力タンクを組み込み、チェーンに固定セットする。浮力タンクは、下段地点にてエアーが入り浮力によって上昇する。中段地点にて水が入り重力により下降する。浮力タンクは、周回軌道に入る。
【請求項２】
周回軌道を利用して、中段の同軸２本に同軸ギヤーを１個ずつセットする。其の上部に位置する上段に、ギヤを１個ずつ合計２個とエアーコンプレッサーを１台をセットして稼動させる。更に中段の別の同軸２本に同軸ギヤーを１個ずつ計２個をセットする。其の上部に位置する上段に、ギヤー２個とタービンを１台セットして稼動させる。この稼動により自動浮力発電装置が昼夜兼行にて発電稼動する。
【発明の詳細な説明】
【発明の詳細な説明】
【０００１】  巨大水槽１の壁２を鉄筋コンクリートで建造する。
【０００２】  壁には、上段軸受け３を４箇所。中段同軸受け４を４箇所。下段軸受け５を４箇所。合計１２箇所を設置する。軸受けロールベアリングを使用。
下段４箇所には、防水装置が必要。１２全箇所には、給油装置が必要。
【０００３】  壁には、エアーコンプレッサー２０から圧出されたエアーをエアー圧入口７からエアー圧出口８へ送るエアー配管６を設置する。
【０００４】  壁には、水面高感知器９と水面低感知器１０を設置する。高感知器の位置は、中段同軸受けより１メートル下にする。高感知器と低感知器の距離は、２メートルとする。水の給水、排水、停水装置を設置する。
【０００５】  中段ギヤー１３を２個と下段ギヤー１４を２個の回りをチェーン１２が回転するようにセットする。このセットに平行して別のギヤー２個と別のチェーン１本を回転良くセットする。
【０００６】  複数の浮力タンク１１を２本のチェーン１２の間に組み入れてチェーンに固定してセットする。チェーンと浮力タンクは、同時回転する。
【０００７】  浮力タンクは、下段ギヤー１４にて方向転換してエアーを入れて浮力により上昇する。今度は、中段ギヤーにて方向転換して水を入れて重力により下降する。是により浮力タンクは、周回軌道に入る。
【０００８】  周回軌道を利用して、中段の同軸１６を２本に同軸ギヤー１９を１個ずつセットする。其の真上にギヤー軸１５にギヤー１８を２箇所セットする。更にエアーコンプレッサーをセットして稼働させてエアーを圧出する。
【０００９】  中段の別の同軸２２を２本に同軸ギヤー２４を１個ずつセットする。其の真上にギヤー軸２１にギヤー２３を２箇所セットする。更にタービン２５をセットして稼働させる事により自動浮力発電装置を昼夜兼行にて発電します。
【図面の簡単な説明】
【図１】  巨大水槽の正面図である。
【図２】  浮力タンク周回軌道正面図である。
【図３】  右側面図である。
【図４】  左側面図である。
【符号の説明】  １  巨大水槽。      １４  下段ギヤー。
２  壁。            １５  上段軸。
３  上段軸受け。    １６  中段同軸。
４  中段同軸受け。  １７  下段軸。
５  下段軸受け。    １８  上段ギヤー。
６  エアー配管。    １９  中段同軸ギヤー。
７  エアー圧入口。  ２０  エアーコンプレッサー。
８  エアー圧出口。  ２１  上段軸。
９  水面高感知器。  ２２  中段同軸。
１０  水面低感知器。  ２３  上段ギヤー。
１１  浮力タンク。    ２４  中段同軸ギヤー。
１２  チェーン。      ２５  タービン。
１３  中段ギヤー。
【図１】
2012052519.tif 000003
【図２】
2012052519.tif 000004
【図３】
2012052519.tif 000005
【図４】
2012052519.tif 000006
(57)【要約】【課題】発電は主に、動力原となる燃料、水、風、太陽光、原子力などがあって可能であるが、従来、発電手段は、燃料は消耗し、水は使用したのち排棄するほかなかった。又、風は吹かなければ機能せず、太陽光も雨天や夜間は機能できない。又、原子力は危険極まりない欠点がある。  本発明は、液体の重量を動力原とし、それをリサイクルしながら発電することで従来の欠点を解消し、世に提供する。【解決手段】本発明は、箱体内部に上下数基の車輪を設け、開口部を一方向にした容器を連続して取り付けたベルトをリング状に車輪に掛け、箱体の下部に動力原となる混合液の集液層を設け、ポンプで下降する側の容器の上部より連続落下させて車輪を回転させる。容器が車輪の下を通過するとき、順次裏返しとなり、液体を消耗、排棄せず集液層にリサイクルして反対側を上昇する。  本発明は、以上の構成により成る発電機である。【選択図】図１
2012052518.tif 000002
【特許請求の範囲】
【請求項１】
液体又は物体又はその混合液の重力を動力原とする発電機。
【請求項２】
請求項１の動力原をリサイクルしながら稼動する発電機。
【請求項３】
回転軸を境にして、回転体の片側が重く、その反対側が軽い状態が続く請求項２の発電機。
【請求項４】
回転軸に円形又は変形の車輪を取り付け、その外周に開口部を一方向にした容器を連続して取り付ける。又、車軸又は車輪のいずれかに板を放射状に取り付け、その下部に請求項１の動力原を入れた集液層を設け、ポンプで上部へ押し上げ、容器又は板の上部から下降する側に落として稼動する発電機。
【請求項５】
請求項４の車輪の下部又は斜め下部に目的を共通にした車輪を取り付ける。そこに回転方行に添って開口部を一方向にした容器又は板を連続して取り付けたベルトを上下の車輪にリング状に取り付けた請求項１・２・３・４に共通する発電機。
【発明の詳細な説明】
【技術分野】
【０００１】  本発明は、液体と物体の重力を動力原として稼動する発電機に関するものである。【０００２】  本発明は、液体と物体の重力を動力原として、それをリサイクルしながら稼動する発電機に関するものである。
【背景技術】
【０００３】  従来、発電は、主に水力、火力、原子力、風力、太陽熱等によって行われている。
水力発電は高度より水を落下させてその圧力でタービンを稼動させる。又火力発電は火力によって水を沸騰させてその蒸氣でタービンを稼動させる。又風力発電はプロペラに風を受けて稼動させる。又原子力発電はその高熱によって水を沸騰させ、その蒸氣でタービンを稼動させる。
以上のことはよく知られている。
【発明の開示】
【発明が解決しようとする課題】
【０００４】  発電には、主に動力原となる燃料、水、風、太陽光などがあって可能であるが、従来、発電装置を稼動させるとき、次のような問題点があった。
水力発電の手段は、ダムをつくり、貯えた水を使用する。又は川の水を使用して、いずれも廃棄する他なく、ダムや川の上流に戻して再利用する良い手段がなかった。又火力発電は燃料を焼失する。又風力発電は風が吹かなければ機能せず、台風や騒音の対策も必要である。又太陽光発電は曇り日や雨天のときは僅かな発電となり、夜に至っては発電できない。又原子力発電に至っては膨大な設備と燃料費が必要であり、又極めて危険である。
本発明は、以上の問題点を解決するため、設備費や動力原の消耗、排棄、送電線配備費用などの無駄を減少せしむべくなされたものである。
【課題を解決するための手段】
【０００５】  本発明は、動力原となる液体の集液層を箱体の底部に設け、開口部を回転に添って一方向にした容器を車輪に連続して取り付け、集液層に設置したポンプで下降する側の容器の上部より落下させて車輪を回転させる。又容器は車輪の下を通過するとき、順次裏返しとなり、液体を集液層にリサイクルしながら反対側を上昇する。【０００６】  本発明は、動力原となる液体の集液層を箱体の底部に設け、開口部を回転に添って一方向にした容器を連続してベルトに取り付け、それを上下に設置した車輪にリング状に掛け、集液層に設置したポンプで下降する側の容器の上部より連続して落下させて車輪を回転させる。又容器が車輪の下を通過するとき、順次裏返しとなり、液体を集液層にリサイクルしながら反対側を上昇する。
よって本発明は動力原を消耗又は排棄せずに可動する。
本発明は、以上の構成によりなる発電機である。
【発明の効果】
【０００７】  本発明を使用するとき、液体又は物体との混合液が動力原であり、リサイクルしながら稼動するので、少ない経費で賄うことができる。故に、膨大な資金を投じてダムをつくり、発電に使用した大量の水を廃棄したり、大量の燃料を消耗したり、更に、遠方からの送電線やその他の設備を必要とした従来の科学技術は殆ど不要である。又、家庭や会社、公共施設等々に直接電力を共給できる。又、地球を汚染しない。
よって人類の生活環境を豊かにするものである。
【発明を実施するための最良の形態】
【０００８】  以下、本発明の実施の形態を説明する。
（イ）鉄板又はステンレス板からなる箱体（８）の内部に、回転軸（１）に車輪（２）を上下二箇所に設け、取り付け部が車輪の外周に合った接触面を持つ容器（３）を連続して取り付けたベルトをリング状に掛けて一体にした回転装置にする。
（ロ）一体にした回転装置の部分を箱体（８）の内壁左右二方と液漏れ防止板（９）に共に密着させて設置する。このとき、回転軸の一方を箱体の外壁部に突き出して設置する。
（ハ）集液層（９）の内部にポンプ（４）を設けて、移送パイプ（５）によって液体を箱体内の最上部に押し上げ、液体誘導板（６）の上に放出して液漏れ防止板との間から下降する側の溶器（３）の上部に落とし、その重量によって稼動する。
本発明は、以上の構成よりなる。
本発明を使用する場合は、箱体（８）の外壁部に突き出した回転軸に増速器、ブレーキ装置、発電機、電力変換装置、変圧器、蓄電池などを接続する。又はこれらを一体にして独立した個体の形状にして接続する。なおポンプは蓄電池を電源とする。
本発明は、動力原をリサイクルするので廃棄又は消耗するものが殆どなく液体や燃料を大量に確保しておく必要がない。又設備を大形化しやすい。又建造物の内外に小型のものを一基又は複数基設置して使用できる便利さがある。
【図面の簡単な説明】
【０００９】
【図１】本発明の内部構造の斜視図
【図２】本発明の縦断面図
【図３】本発明の実施縦断面図
【図４】本発明の車軸に板を取り付けた実施縦断面図
【図５】本発明の車輪に容器を取り付けた内部構造斜視図
【符号の説明】
【００１０】  （１）回転軸、（２）車輪、（３）ベルト、（４）容器、（５）ポンプ、（６）移送パイプ、（７）液体誘導板、（８）箱体、（９）液漏れ防止板、（１０）集液層部、
【図１】
2012052518.tif 000003
【図２】
2012052518.tif 000004
【図３】
2012052518.tif 000005
【図４】
2012052518.tif 000006
【図５】
2012052518.tif 000007
(57)【要約】【課題】人や車両等の重量で敷き詰めた砂利が下にさがり下から砂が砂利の上に上ってくる可能性と、又自然界から新たに季節風に乗って細かい砂が砂利の上に堆積する可能性がある。せっかく覆った砂利の上に又新たな砂が堆積すると飛散防止効果が無くなってしまう恐れがある。【解決手段】定期的に施工箇所を見回り原状回復作業の時期を選定して工事を行う。その地域や地形の特性により、その現場の原状回復作業の日時は現場の判断になる。施工責任者はその時期を検討して施工現場の砂利及び砂のクリーニングを行うことで、飛散防止効果の回復が図れる。【特許請求の範囲】
【請求項１】
砂及び飛翔物の浜辺の細かい砂に直接砂利を覆いかぶせる工法が砂及び飛翔物の飛散防止における有効性と環境対策に繋がる工法である。
【請求項２】
砂及び飛翔物の飛散防止効果を維持するために施工箇所を掘り起こし、砂及び砂利を洗い分別して再度敷き詰めることが飛散防止効果の回復を可能にする有効性と環境対策に繋がる工法である。
【発明の詳細な説明】
【技術分野】
【０００１】本発明は海岸線及び河川又は湖沼における砂及び飛翔物の飛散防止が容易に行える工法に関するものである。
【背景技術】
【０００２】海岸及び河川又は湖沼の砂及び飛翔物が吹き飛ばされ家屋や道路に堆積する。その被害を軽減するために壁や樹木を植えて防風林等の施設で飛散防止策を講じているが、この工法でも砂及び飛翔物の飛散は完全に防止することが出来ない深刻な被害が出ている。【０００３】この飛散防止の改善策として砂浜の砂の上に２ｍｍから３０ｍｍ程度の砂利を敷き詰めることにより、砂利が現在堆積している砂の上に蓋をする。そのため砂利の下になっている細かい砂が季節風等で巻き上げられ飛散することが防げるようになる。
【先行技術文献】
【特許文献】
【０００４】
【特許文献１】特開平０７−０１８６０８号公報
【特許文献２】特開平０７−０１８６０９号公報
【０００５】
【発明の概要】
【発明が解決しようとする課題】
【０００６】現状の砂及び飛翔物の飛散防止策を解決しようと砂を人工的に固める方法や、植物を植えてその根を張らせることにより砂地を覆うことを目的とした工法も現在検討されている様子である。
【課題を解決するための手段】
【０００７】しかし、この現在の工法では砂が新たに巻き上げられ、たとえ現場を固定したとしてもその上に堆積することが容易に考えられる。本発明の砂及び飛翔物の飛散防止工法は仮に施工箇所で新たな砂が堆積したり、上に覆った砂利の重みで人や車両等が砂利の上に乗った場合砂利が沈み込み下から砂が浮き上がってきた場合は砂と砂利を両方掘り出して洗浄し分離作業を経て再度敷き詰めるリサイクルが可能である。
【発明の効果】
【０００８】本発明の工法に必要な砂を敷き詰める方法は、自然界にあるものを利用するために自然環境や人に優しい工法である。施工箇所のメンテナンスにおける費用は砂利と砂をその場でクリーニングする方法で再利用が可能である。維持管理費が低コストで施工が可能であるから発注元への負担も少なくてすむメリットがある。
【実施例】
【０００９】一般的に砂及び飛翔物の飛散防止には季節風で巻き上げられる砂及び飛翔物を棒不倫や暴風壁で防ぎ、家屋等の建物や道路などの公共施設を守る目的で設置されている。しかし季節風が激しく吹き荒れる海岸線では施工している暴風施設や防風林などが埋まってしまうほど強烈な砂塵が直撃する。砂の比重は約１，５程度と重いわけであるが、粒体がかなり細かいことと形状により風の威力に負けて吹き飛んでしまっている。しかし本発明の工法で使用する砂利を敷き詰める方法は海岸線で砂利の浜では砂利が季節風の威力に負けずその場に留まっている事が確認取れる。【００１０】本発明の工法では天然石を使用するが、その砂利は自然の転磨により丸まった砂利を敷き詰めるため観光客や海水客の多い場所では足の裏に痛みを生じさせない程度の丸みの砂利を使用して違和感を軽減する。その他人気の無い場所ではその場にあった適当な大きさの砂利を敷き詰める。適材適所に異なった粒径の砂利を使用することで、確実に砂及び飛翔物の飛散防止を実行できる。【００１１】本発明はその砂及び飛翔物飛散防止の実効性を向上させるために経年変化した現場の原状回復作業を行える工法である。【００１２】その原状回復作業とは、施工箇所に新たに堆積した場合の砂と砂利を洗砂機を使用し、海水を利用することにより現場で作業が可能になる。その作業とは砂利と砂を海水で洗い、その後分別することにより再度施工箇所へ戻すことが出来る。その場で作業が出来ることが本発明の特徴である。
【産業上の利用可能性】
【００１３】本発明の工法は全国の自治体で砂及び飛翔物の飛散防止を目的に設置されている場所の追加工事で施工が可能であり、既存の設備と合わせることにより相乗効果が期待できるため自治体への低コスト飛散防止工法として売込みが可能となる。
(57)【要約】【課題】従来の構成では、電動機部の回転子とクランク軸の重量を、クランク軸偏心部下端面と下軸受け端面が接触する部分で受けており、クランク軸偏心部下端面と下軸受け端面ともにフラットな形状であったため、密閉容器下部に溜まっている潤滑油が十分に前記接触面に供給されず、信頼性を低下させ、また、入力増加につながるという課題を有していた。本発明は、前記従来の課題を解決するもので、信頼性を向上し、高いＣ．Ｏ．Ｐを有した密閉型圧縮機を提供することを目的とする。【解決手段】本発明の密閉型圧縮機は、クランク軸偏心部下端面１２に放射線状の溝１１を設け、クランク軸偏心部下端面１２と下軸受け端面１３が接触する部分に潤滑油を十分供給させるものであり、これによって、信頼性を向上させ、入力低減させることができる。【選択図】図１
2012052495.tif 000002
【特許請求の範囲】
【請求項１】
密閉容器内に、電動機部と圧縮機構部を備え、電動機部の回転子はクランク軸に固定され、電動機部の回転力をクランク軸によって圧縮機構部に伝達し冷媒ガスを圧縮し、圧縮機構部はクランク軸、上軸受け、シリンダ、下軸受け、ピストン、仕切り板により構成され、密閉容器下部にある潤滑油により潤滑され、電動機部の回転子とクランク軸の重さを、クランク軸偏心部下端面と下軸受け端面が接触する部分で支えており、前記クランク軸偏心部下端面に放射線状の溝を設け、クランク軸偏心部下端面と下軸受け端面が接触する部分に潤滑油を供給する密閉型圧縮機。
【発明の詳細な説明】
【技術分野】
【０００１】
本発明は、冷凍機、空調機、乾燥機などに使用される密閉型圧縮機の信頼性向上および性能向上に関するものである。
【背景技術】
【０００２】
従来、この種の密閉型圧縮機は、電動機部の回転子とクランク軸の重量を、クランク軸偏心部下端面と下軸受け端面が接触する部分で受けており、クランク軸偏心部下端面と下軸受け端面ともにフラットな形状であった。そのため、密閉容器下部に溜まっている潤滑油が十分に前記接触面に供給されず、信頼性を低下させ、また、入力増加につながる場合があった（例えば、特許文献１参照）。
【０００３】
図３は、特許文献１に記載された従来の密閉型圧縮機を示すものである。図３に示すように、クランク軸偏心部下端面２３と下軸受け端面２４がフラットな形状で接触している。
【先行技術文献】
【特許文献】
【０００４】
【特許文献１】特開２０１０−０３８０８４号公報
【発明の概要】
【発明が解決しようとする課題】
【０００５】
しかしながら、従来の構成では、電動機部の回転子とクランク軸の重量を、クランク軸偏心部下端面と下軸受け端面が接触する部分で受けており、クランク軸偏心部下端面と下軸受け端面ともにフラットな形状であった。そのため、密閉容器下部に溜まっている潤滑油が十分に前記接触面に供給されず、信頼性を低下させ、また、入力増加につながるという課題を有していた。
【０００６】
本発明は、前記従来の課題を解決するもので、信頼性を向上し、高いＣ．Ｏ．Ｐを有した密閉型圧縮機を提供することを目的とする。
【課題を解決するための手段】
【０００７】
前記従来の課題を解決するために、本発明の密閉型圧縮機は、クランク軸偏心部下端面に放射線状の溝を設け、クランク軸偏心部下端面と下軸受け端面が接触する部分に潤滑油を十分供給させるものである。
【０００８】
これによって、信頼性を向上させ、入力低減させることができる。
【発明の効果】
【０００９】
本発明の密閉型圧縮機は、信頼性を向上し、Ｃ．Ｏ．Ｐの向上を達成することができる。
【図面の簡単な説明】
【００１０】
【図１】本発明実施の形態１における密閉型圧縮機の断面図
【図２】本発明実施の形態１におけるクランク軸偏心部下端面の斜視図
【図３】従来の圧縮機構部の断面図
【発明を実施するための形態】
【００１１】
第１の発明は、密閉容器内に、電動機部と圧縮機構部を備え、電動機部の回転子はクランク軸に固定され、電動機部の回転力をクランク軸によって圧縮機構部に伝達し冷媒ガスを圧縮する。圧縮機構部はクランク軸、上軸受け、シリンダ、下軸受け、ピストン、仕切り板により構成され、密閉容器下部にある潤滑油により潤滑されている。電動機部の回転子とクランク軸の重さを、クランク軸偏心部下端面と下軸受け端面が接触する部分で支えており、前期クランク軸偏心部下端面に放射線状の溝を設けることで、クランク軸偏心部下端面と下軸受け端面が接触する部分に潤滑油を十分供給させることで、信頼性を向上させ、入力低減させることができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における密閉型圧縮機の断面図、図２は同クランク軸偏心部下端面の斜視図である。
【００１４】
図１、図２において、クランク軸偏心部下端面１２に放射線状の溝１１を設け、クランク軸偏心部下端面１２と下軸受け端面１３が接触する部分に潤滑油１０を十分供給させ、信頼性を向上でき、入力低減させることができる。
【産業上の利用可能性】
【００１５】
以上のように、本発明にかかる密閉型圧縮機は、簡単な方法で、信頼性を向上させ、Ｃ．Ｏ．Ｐの向上が可能となるので、ヒートポンプを用いた用途に適用できる。
【符号の説明】
【００１６】
１  密閉容器部
２  電動機部
３  圧縮機構部
４  クランク軸
５  上軸受け
６  シリンダ
７  下軸受け
８  ピストン
９  仕切り板
１０  潤滑油
１１  溝
１２  クランク軸偏心部下端面
１３  下軸受け端面
２０  回転子
２１  クランク軸
２２  下軸受け
２３  クランク軸偏心部下端面
２４  下軸受け端面
【図１】
2012052495.tif 000003
【図２】
2012052495.tif 000004
【図３】
2012052495.tif 000005
(57)【要約】      （修正有）【課題】人、地球環境に優しい、台所の油汚れ、風呂場のカビなどをスムーズに落とせる天然成分で出来た水溶液を提供する。【解決手段】フルーツの皮などを、粉砕し、天然水と一緒に、煮込む。それぞれの、皮の煮汁を抽出し、グレープフルーツＡ．オレンジＢ．レモンＣ．バナナＤ．アロエＥ．からなる水溶液。【選択図】図２
2012052076.tif 000002
【特許請求の範囲】
【請求項１】
グレープフルーツ、オレンジ、レモン、バナナ、アロエの果肉や皮などで配合されているが、ゆず、蜜柑、ライチ、ブドウ、西瓜、パイナップル他フルーツ、等でも天然の水溶液が作成できる。
【請求項２】
バナナ  イチヂク  アロエ  ムギ茶  紅茶などでも作成できる。
【発明の詳細な説明】
【技術分野】
【０００１】本発明は、台所の油汚れ、風呂場のカビなどを、スムーズに落とせる天然成分で出来た、水溶液である
【背景技術】
【０００２】従来は天然成分だけで出来た、水溶液はなかった。
【先行技術文献】
【特許文献１】
【０００３】
【発明の概要】
【発明が解決しようとする課題】
【０００４】台所のレンジ周り、つまりこびりついた汚れを、天然成分の水溶液で、スムーズに汚れを落とし、尚且つ、有害成分が、入っていないため、体にも、環境にも優しくする為に、なされたものである。
【課題を解決するために】
【０００５】レモン、オレンジ、グレープフルーツの皮、バナナ、アロエ、天然水、を使用し、有害物質を一切使用せず、油汚れ、カビ、タバコのヤニ、等を、スムーズに落とせるようにした。
また、自然の物で出来ているため、人体、及び、地球環境にも優しい。
【発明の効果】
【０００６】従来の洗剤等は、泡やオレンジオイル（合成界面活性剤）で油汚れを、落としていた為に、手荒れになり毒素を吸い込んでいた。
本製品は、レモン、オレンジ、グレープフルーツの皮、バナナ、、アロエ、の五種類を粉砕し、天然水で煮込み、その成分を、抽出し、混ぜ合わせたものである。
有害成分が出ない為  手荒れや毒素を吸込む恐れがない
【図１】
2012052076.tif 000003
【図２】
2012052076.tif 000004
【手続補正書】
【提出日】平成22年11月12日(2010.11.12)
【手続補正１】
【補正対象書類名】明細書
【補正対象項目名】全文
【補正方法】変更
【補正の内容】
【発明の詳細な説明】
【技術分野】
【０００１】本発明は、台所の油汚れ、風呂場のカビなどを、スムーズに落とせる天然成分で出来た、水溶液である
【背景技術】
【０００２】従来は天然成分だけで出来た、水溶液はなかった。
【先行技術文献】
【特許文献１】
【０００３】
【発明の概要】
【発明が解決しようとする課題】
【０００４】台所のレンジ周り、つまりこびりついた汚れを、天然成分の水溶液で、スムーズに汚れを落とし、尚且つ、有害成分が、入っていないため、体にも、環境にも優しくするために、なされたものである。
【課題を解決するために】
【０００５】レモン、オレンジ、グレープフルーツの皮、バナナ、アロエ、天然水を使用し、有害物質を一切使用せず、油汚れ、カビ、タバコのヤニ等を、スムーズに落とせるようにした。
また、自然の物で出来ているため、人体及び、地球環境にも優しい。
【発明の効果】
【０００６】従来の洗剤等は、泡やオレンジオイル（合成界面活性剤）で油汚れを、落としていた為に、手荒れになり毒素を吸い込んでいた。
本製品は、レモン、オレンジ、グレープフルーツの皮、バナナ、アロエの五種類を粉砕し、天然水で煮込み、その成分を抽出し、混ぜ合わせたものである。
有害成分が出ない為、手荒れや毒素を吸い込む恐れがない。
【図面の簡単な説明】
【０００７】
【図１】それぞれの果皮及び果肉と天然水を鍋で煮沸した図である。
【図２】図１の成分を抽出しそれぞれを５種、６種混ぜた図である。
(57)【要約】【課題】従来のテープのりは大きい点状ののりのみ使用していたため、貼りムラが起きることが多く不便であった。【解決手段】点点テープのりは、大小の点状ののりを使うことで自由な長さに切って使用しても貼りムラが起きず、様々なものを貼り付けることが出来る。【選択図】図１
2012052079.tif 000002
【特許請求の範囲】
【請求項１】
大小の点状ののりを貼り付けたテープのり。
【請求項２】
請求項１のテープのりを塗布装置に装着することで様々なものを容易に接着することが可能なテープ状ののり。
【発明の詳細な説明】
【技術分野】
【０００１】  本発明は大小の点状ののりをテープに備え付けてあるため、そのテープを塗布装置に装着することで様々なものを貼り付けることが出来る。
【発明の概要】
【発明が解決しようとする課題】
【０００２】  従来のテープのりは同じ大きさの点状ののりだけしか、テープに備え付けることが出来なかった。
【課題を解決するための手段】
【０００３】  本発明は二次加工することで、大小の点状ののりをテープに備え付けることが出来、その結果様々なものを貼り付けることが出来るようになった。また塗布装置に装着することで安易に自由な長さに切り取ることが出来る。
【図面の簡単な説明】
【０００４】
【図１】  点点テープのりの全体図
【図２】  点点テープのりの側面図
【図３】  点点テープのりの塗布装置図
【図４】  点点テープのりの使用図１
【図５】  点点テープのりの使用図２
【図６】  小さい点状ののりの一次加工完了図
【図７】  二次加工用の大きい点状ののりの図
【図８】  二次加工完了図
【発明を実施するための形態】
【実施例】
【０００５】  以下、本発明を実施するための形態を図１〜図８に基づいて説明する。【０００６】  図１は点点テープのりの全体図で、１は大きい点状ののり、２は小さい点状ののり、３は１と２を備え付けるためのテープである。【０００７】  図２は点点テープのりの側面図で、大きい点状ののり１と小さい点状ののり２がテープ３に備え付けてある状態である。【０００８】  図３は点点テープのりを塗布装置４に装着した状態である。【０００９】  図４は点点テープのりを封筒５に貼り、自由な長さに切り取った様子である。【００１０】  図５は点点テープのりと封筒５を貼り付けた様子である。封筒以外にもポスターや写真にきれいに貼り付けることが出来る。【００１１】  図６は小さい点状ののり２をテープ３に一次加工として貼付した状態である。【００１２】  図７は二次加工用の大きい点状ののり１の図である。【００１３】  図８は図６に図７の大きい点状ののり１を二次加工として、テープ３に貼付した状態である。
【図１】
2012052079.tif 000003
【図２】
2012052079.tif 000004
【図３】
2012052079.tif 000005
【図４】
2012052079.tif 000006
【図５】
2012052079.tif 000007
【図６】
2012052079.tif 000008
【図７】
2012052079.tif 000009
【図８】
2012052079.tif 000010
(57)【要約】【課題】従来の粘着テープは一重で、粘着力の強い製品しか無く、付着した粘着テープを剥がす際、止着対象物や止着対象場所を破損させたり、止着対象物や止着対象場所こびり付いて残ったり、又、その残骸が手や指に付着し洗剤等で洗ったとしても容易には付着物を取り除く事が出来なかった。【解決手段】粘着テープの基材シートを任意の場所から二つ折りにし、シートの外側両面に基材シートの素材強度より弱い粘着力の粘着剤を塗着する事によって、課題を解決するものである。【選択図】図１
2012052078.tif 000002
【特許請求の範囲】
【請求項１】
止着対象物はその素材は、例えば、合成樹脂類から紙類の製品等と多岐に渡り、又、種類も社内回覧紙、ポスター、写真等と多種多様に渡り、又、止着対象物の厚みも多様を極めた基材シートを二つ折りにした粘着テープ。
【請求項２】
止着対象場所も例えば、コンクリート壁面、クロス壁面やガラス面等と多様な場所を想定した基材シートを二つ折りにした粘着テープ。
【請求項３】
従って、二つ折り粘着テープは止着対象物や止着対象場所の多様さに合わせる為に粘着テープの幅や厚みやシートの素材を多岐に渡って用意した基材シートを二つ折りにした粘着テープ。
【発明の詳細な説明】
【技術分野】
【０００１】本発明は、基材シートを任意の場所から二つ折りにし、その外側の両面に粘着剤を塗着した粘着テープに関する。
【背景技術】
【０００２】止着対象物を止着場所（壁面等）に止着させる為の両面粘着テープで製品は開示されている【０００３】止着対象物を止着場所から剥離する場合、既存の両面粘着テープ等は一重の製品で粘着力が強い為、剥がす場合に、止着対象物や止着場所を損傷させたり、止着対象場所を破損させる事が多かった。【０００４】又、両面粘着テープは止着対象物や止着対象場所にこびりついて残り、それを剥がそうとするのは非常に困難であり、無理やり剥がすと、無残な損傷跡が残るのが現実である。【０００５】又、それら粘着テープの残骸が手や指にくっ付いて残り、それらを剥がす為に洗剤やシンナー等の溶剤を遣って手洗いする必要があり、非常に厄介で、手間がかかるのが実情である。
【先行技術文献】
【特許文献】
【０００６】
【特許文献１】特開２０１０−１８７１１
【発明の概要】
【発明が解決しようとする課題】
【０００７】前記で述べている様な、現実を回避する為、一般的には、市販のセロハンテープ等を一定の長さに切断し、その両端を繋ぎ、輪状にして止着対象物と止着対象場所の間に介し、止着させている場合が多い。
しかしこの場合、止着対象物の形状の大きさ、厚み、止着対象場所の状況等（凹凸の有無等）に応じて、片面のセロハン粘着テープ等を切断し、輪状に繋ぎ止着する必要があり、一件の止着対象物を止着するのに止着対象物の数か所に同様な行為をする必要が有り、非常に手間がかかり、面倒であった。
【課題を解決するための手段】
【０００８】本発明は、かかる事情を鑑みて為されたものであり、その目的とするところは、任意の場所から二つ折りにした基材シートとなるポリエステル、ポリプロピレン、ポリエチレン等の合成樹脂、又は紙類の素材に、素材の強度より弱い粘着剤を塗着し、剥離紙を介してロール状に巻き、製品とした物である。
【発明の効果】
【０００９】本発明は、任意の場所から二つ折りにした基材シートのテープ状の外側両面に粘着剤を塗着し、その内側には粘着剤が塗着されていない事を特徴とする。【００１０】本発明によれば、従来の両面粘着テープのように止着対象物や止着対象場所の破損や損傷をする事無く、且つ、セロハンテープ等のような片面粘着テープを適当な長さに切断し、輪状に繋ぐ手間や時間を省き、作業を簡便にできるものである。【００１１】更に、前述の両面粘着テープのように手や指への残骸のくっ付きは無く、次に行う作業に迅速に移行出来るものである。
【図面の簡単な説明】
【００１２】
【図１】本発明に係る粘着テープの要部構成を示す摸式図である。
【図２】本発明に係わる粘着テープ全体を示す摸式図である。
【図３】本発明に係わる粘着テープの使用例１を説明する説明図である。
【図４】本発明に係わる粘着テープの使用例１を説明する説明図である。
【発明を実施するための形態】
【００１３】以下、本発明の実施の形態を図１〜図３に基づいて説明する。
【００１４】図１は、本発明に係わる二つ折り粘着テープの要部構成を示す部であり、
図２は、全体の構成を示す摸式図である。
【００１５】本発明に係わる基材シートを二つ折りにした粘着テープ１は、外側両面に粘着剤２−Ａ，２−Ｂが付着され、その内側には粘着剤が付着されていない。
【００１６】本発明に係わる基材シートを二つ折りにした粘着テープ１は、外側に塗着されている粘着剤面２−Ｂが剥離紙３で保護されている構成である。
【００１７】本発明に係わる基材シートを二つ折りにした粘着テープは、既に開示されている両面粘着テープやセロハンテープ等と同様にロール状巻かれた製品で構成されている（図２）。
【００１８】基材シート１は、ポリエステル、ポリプロピレン、ポリエチレン等の合成樹脂、または、紙類から成り、その両面に基材シートの強度より弱い粘着剤２−Ａ，２−Ｂを塗着させ、剥離紙２は、基材シート１から容易に剥がす事ができる。
【００１９】使用者はロール状の製品を、止着対象物の寸法に合わせて任意のを任意の長さに切断し、止着対象物４の任意の場所に張りつける（図３）。
【００２０】しかる後に、止着対象物４に貼った二つ折り粘着テープの剥離紙３を剥がし、任意の止着対象場所に貼り合わせる。
【００２１】更に、止着対象物の表面から止着対象場所６に介在した二つ折り粘着テープを強く押し、止着力安定させ、粘着力を高める。
【００２２】止着対象物を止着場所から剥がす場合、止着対象物を持ち、ゆっくりと剥がす。
その際、粘着テープは止着対象物か止着場所に付着して残っているが、粘着テープの内側の粘着剤が塗布されていない面を使って付着している場所から剥がす。
【符号の説明】
【００２３】１基材シート
２−Ａ粘着剤塗布面（内側）
２−Ｂ粘着剤塗布面（外側）
３剥離紙
４止着対象物
５止着対象場
６粘着テープの片面２−Ａを止着対象物に張り合わせた状態図
７止着対象物を止着対象場所に張り合わせた状態図
８二つ折り粘着テープの全体図
【図１】
2012052078.tif 000003
【図２】
2012052078.tif 000004
【図３】
2012052078.tif 000005
【図４】
2012052078.tif 000006
(57)【要約】      （修正有）【課題】不燃性、難燃性のみならず、断熱性、保温性、遮音性を確保でき、かつ、堅牢性と軽量化を図ったドア、間仕切り、フラッシュパネル、壁体などとしての利用もでき、幅広い用途を有する不燃パネルを提供する。【解決手段】保管および運搬に容積を取らない折り畳み可能なバイアスコア３を、主成分を水酸化マグネシウムとするガラス繊維ネットを内設させた無機素材から成る不燃ボード２でバイアスコア３をサンドイッチ状に挟んで構成した不燃パネル１。【選択図】図１
2012052398.tif 000002
【特許請求の範囲】
【請求項１】
バイアスコアを芯材として不燃ボードをサンドイッチ状に配置した構成を特徴とする不燃パネル。
【請求項２】
不燃ボードは水酸化マグネシウムを主成分としたことを特徴とする請求項１記載の不燃パネル。
【請求項３】
不燃ボードにガラス繊維ネットを内設したことを特徴とする請求項１または請求項２記載の不燃パネル。
【発明の詳細な説明】
【技術分野】
【０００１】  本発明は、バイアスコアと水酸化マグネシウムを主成分とするボードから成る不燃性の建材に関するものである。
【背景技術】
【０００２】  従来から不燃性建材については各種の構造が提案されてきた。それらの中でも水酸化マグネシウムは不燃性に優れた性状から不燃性建築材料として使用されていたが、主要材料成分が粒状あるいは粉末状であることから衝撃に対する脆さをもっているため繊維状補強材を使用するのが一般的であった。【０００３】  特開２００８−１３３７１７においては、マグネシウム系無機質及び軽量チップを含むコア層の一面または両面にガラス繊維基布表面層を形成して軽量化を図ったセラミックボードおよび難燃性突き板が開示されている。しかし、セラミックボード自体の軽量化は図れても断熱性、保温性、遮音性など不十分なものであった。【０００４】  特開昭５９−３９３９１においては、水酸化マグネシウムにガラス繊維等の無機繊維物質や天然セルロース繊維、ナイロン繊維などの有機繊維を混合してプレスした難燃性合成建材を開示している。この合成建材においてはこれらの繊維状物質を混合することによって、補強性、軽量性、保釘力を付与している。しかし、この建材においては一定程度の耐衝撃性は得られるものの未だなお脆弱性を有しており、靭性に欠けるものであった。
【先行技術文献】
【特許文献】
【０００５】
【特許文献１】特開２００８−１３３７１７号公報
【特許文献２】特開昭５９−３９３９１号公報
【発明の開示】
【発明が解決しようとする課題】
【０００６】  本発明は、不燃性、難燃性のみならず、断熱性、保温性、遮音性を確保でき、かつ、堅牢性と軽量化を図ったドア、間仕切り、フラッシュパネル、壁材などとしての利用もでき幅広い用途を有する不燃パネルを提供することを目的とする。
【課題を解決するための手段】
【０００７】  水酸化マグネシウムを主成分とした不燃ボードをバイアスコアの両面にサンドイッチ状に貼着して本発明の不燃パネルを構成した。不燃ボードにはガラス繊維ネットを内設させることが補強性をより強化することになり望ましい。
【発明の効果】
【０００８】  本発明によればバイアスコアを開いた状態の両面に水酸化マグネシウムを主要成分とする無機不燃性ボードを貼着した構造であるので、コア部分に空気層が形成される。この空気層の存在により、断熱性、保温性および遮音性のあるパネル材とすることができる。【０００９】  芯材部分が紙製であり、バイアスコア構造にしてあるので、紙製シート材の厚みを変えることにより用途に応じた任意の厚さの不燃パネルの作成が容易であり、内部に多数の空気層を有することから堅牢性と軽量性も兼ね備えることができるパネルとなる。【００１０】  また、本発明のパネル材はコア層の表面層および裏面層の両面に水酸化マグネシウムを主成分とした不燃ボードによってサンドイッチ状構造のパネルとしたので、火災等の発生によりパネルが高温の加熱状態となったときには、不燃ボードの主成分である水酸化マグネシウム、Ｍｇ（ＯＨ）２は構成要素としてＯＨ基を含むので、熱分解作用で水を放出することとなり、その際の気化熱による冷却効果を発揮してパネル全体を不燃化する。水酸化マグネシウムのボードにおける主成分としての含有量は不燃性効果と強度および成形性の観点から４０重量％〜５０重量％程度が好ましい。【００１１】  また、水酸化マグネシウムは本来人体に対する毒性は低く、安全な物質で、熱分解過程においても有害なガスを発生せず、極めて安全性の高い不燃剤でもある。【００１２】  ガラス繊維ネットは不燃ボード内に少なくとも一層埋設する必要があるが、不燃ボード内部の裏面側に近い方に一層、および表面側に近い方に一層の合計二層のガラス繊維ネット層を埋設形成することが対衝撃性の観点からより望ましい。
【図面の簡単な説明】
【００１３】
【図１】  本発明の断面図である。
【図２】  本発明を構成するバイアスコアの構造図である。
【図３】  本発明の部分斜視図である。
【発明を実施するための形態】
【００１４】以下、発明の好ましい実施の形態につき、添付図面を参照して詳細に説明する。
【００１５】  本発明に係る不燃パネル１は、図１に断面図として示すように、上下２枚の不燃ボード２でバイアスコア３をサンドイッチ状に両側から挟むように貼り合わせた構成としている。
【００１６】  図２はバイアスコア３の構造図を示し、パネル作成前の段階では薄い状態に折り畳むことができるので、保管および運搬にスペースを取らずに済む。
【００１７】  バイアスコア部３には多数の長方形の空気層が形成されており、この空気層により断熱性および遮音性を確保することができ、不燃パネル１の軽量化も図ることができ、多数の空気層を構成する壁面部の存在が不燃パネル１へ強度を与えることとなる。
【００１８】  バイアスコア３を広げて上下の端部に不燃ボード２をサンドイッチ状に貼着して図３に示す不燃パネル１（部分）を作成した。
不燃パネル１の厚さはバイアスコア３の厚みを変えることによってを調整することができる。
【産業上の利用可能性】
【００１９】  保管および運搬に容積を取らない折り畳み可能なバイアスコア３を、不燃ボード２でサンドイッチ状に挟んで構成したので断熱性および遮音性があり、かつ、不燃パネル１の厚みを増した場合でも堅牢性と軽量化を保つことができるので、ドア、間仕切り、フラッシュパネル、壁材、そのほかへの用途の広い不燃パネル１を提供できる。
【符合の説明】
【００２０】１  不燃パネル
２  不燃ボード
３  バイアスコア
【図１】
2012052398.tif 000003
【図２】
2012052398.tif 000004
【図３】
2012052398.tif 000005
(57)【要約】【課題】室内で食事中、犬や猫などのペットが入室して来るのを防ぐには、その都度、椅子などの重量のある物をドアの前に移動し、ドアが開かないにしていた。すると食事中に部屋から出る場合、今度はその都度、ドアの前に置いた重量のある物を移動しなければならない。  あるいは、従来の鍵を掛けた場合、その都度鍵をはずさなければならないので、簡易に部屋を出入りすることは不可能だった。しかも従来の鍵の場合、ドアやドア枠などに、付属品等を取り付けなければならない。  本発明は、犬や猫などのペットの入室を防ぐためのドアロックを提供する。【解決手段】長尺板状を折り曲げた二叉状の小型の挟み具の、先端部分に近い両側、側面外側にそれぞれ磁石部分を設け、挟み具の先端部分をそれぞれ斜め状にカットしたことを特徴とするペット用ドアロック。【選択図】図１
2012052400.tif 000002
【特許請求の範囲】
【請求項１】
長尺板状を折り曲げた二叉状の小型の挟み具の先端部分を、斜め状にカットし、挟み具の先端部分に近い両側、側面外側に磁石を設けたペット用ドアロック。
【発明の詳細な説明】
【技術分野】
【０００１】  本発明は、犬や猫などのペット用ドアロックに関するものである。
【背景技術】
【０００２】  従来、室内において、犬や猫などのペットの入室を防ぐためには、ドアの前に椅子などの重量のある物を置いて防いでいた。
なお、鍵穴に鍵を差し込んで施錠し、入室を防ぐことは知られている。
【発明の概要】
【発明が解決しようとする課題】
【０００３】  室内で食事中、犬や猫などのペットが入室して来るのを防ぐには、その都度、椅子などの重量のある物をドアの前に移動し、ドアが開かないようにしていた。すると食事中に部屋から出る場合、今度はその都度、ドアの前に置いた重量のある物を移動しなければならない。
あるいは、従来の鍵を掛けた場合、その都度鍵をはずさなければならないので、簡易に部屋を出入りすることは不可能だった。しかも従来の鍵の場合、ドアやドア枠などに、付属品等を取り付けなければならない。
本発明は、以上の問題点を解決するためになされたものである。
【課題を解決するための手段】
【０００４】  二叉状の小型の挟み具の、先端部分に近い両側、側面外側に、それぞれ磁石部分を設け、挟み具の先端部分をそれぞれ斜め状にカットする。
以上の構成よりなるペット用ドアロック
【発明の効果】
【０００５】  従来不可能とされていたペットの入室を簡易に素早く防ぐことができ、その他の付属品を必要としない。
本発明は、簡易に素早くドアをロックし閉扉状態を保持できる。
【図面の簡単な説明】
【０００６】
【図１】本発明の斜視図
【図２】本発明使用状態を示す斜視図
【発明を実施するための形態】
【０００７】  以下、本発明の実施の形態を説明する。
（イ）長尺板状を折り曲げた二叉状の小型の挟み具（１）の、先端部分に近い両側、側面外側（２）にそれぞれ磁石部分（３）を設ける。
（ロ）長尺板状を折り曲げた二叉状の小型の挟み具（１）の先端部分（４）をそれぞれ斜め状にカットする。
本発明は、以上のような構造である。
本発明を使用するときは、長尺板状を折り曲げた二叉状の小型の挟み具（１）を強く握り、長尺板状を折り曲げた二叉状の小型の挟み具の両先端部分（４）が密着状態の時に、閉扉状態のドア（５）とドア枠（６）との隙間（７）、取手部分（８）と平行線上にあるドア（５）側面の凸部分（９）に差し込む。
差し込み後、手を離した瞬間、密着していた両先端部分（４）が左右に開き、ドア（５）とドア枠（６）の側面、ドア中央部に設けられている鉄部分に、磁石部分（３）が接着する。
長尺板状を折り曲げた二叉状の小型の挟み具（１）の突っ張る力と磁石（３）で、室内側より、ドア（５）とドア枠（６）を固定するので、部屋の外からは、取手部分（８）を回してもドア（５）を開けることはできず、閉扉状態を保持できる。
また、ドア（５）を開放する場合には、長尺板状を折り曲げた二叉状の小型の挟み具（１）を抜けば、すぐに開放することができる。
【符号の説明】
【０００８】１挟み具、２側面外側、３磁石部分、４先端部分、５ドア、６ドア枠、７隙間、８取手部分、９凸部分
【図１】
2012052400.tif 000003
【図２】
2012052400.tif 000004
(57)【要約】 【課題】   長袖衣類の上に洋服等を着る時もしくは着せる時に、一枚目の衣類の袖が捲くれ上がることなく重ね着が円滑におこなえるもの。【解決手段】  長袖衣類の両袖の先端部に捲くれあがり防止の為の親指を入れる為の穴を設けておく。【選択図】  図１
2012052268.tif 000002
【特許請求の範囲】
【請求項１】
両袖の先端部に親指を入れる為の穴を設けた長袖衣類
【請求項２】
穴の周縁部にかがり部を形成した請求項１記載の長袖衣類
【発明の詳細な説明】
【技術分野】
【０００１】
本発明は、長袖衣類に関するものである。
【背景技術】
【０００２】
従来、長袖衣類の上に洋服等を着る時もしくは着せる時に、一枚目の長袖衣類の袖が腕に沿って捲くれ上がる為に洋服等の袖口に手を入れて一枚目の袖を引き下げて伸ばさなければならず、時間も手間もかかる欠点があった。
【０００３】
袖の捲くれ上がりが起こらないよう、袖口を手のひらと指で挟んだまま洋服等を着用することも出来るが、その方法は幼い子供や老人及び身障者や要介護者にとってはきわめて困難な作業となる。
【０００４】
公開実用昭和５０−１１３０及び実用新案登録第３０６１９５４号の考案では共通して袖口にゴム紐を取り付けるとしてあるが、ゴム紐を指から外した後に袖口に挿入する手間がかかり、ゴム紐が伸びて長期間の使用が出来なくなる可能性があり、伸びたゴム紐が袖口から出る可能性がある為外観を損ねる等の欠点があった。
【先行技術文献】
【特許文献】
【０００５】
【特許文献１】公開実用昭和５０−１１３０
【特許文献２】実用新案登録第３０６１９５４号
【発明の概要】
【発明が解決しようとする課題】
【０００６】
本発明は、このような課題を解決し実用的で違和感が無く重ね着を円滑におこなえる長袖衣類を提供するものである。
【課題を解決するための手段】
【０００７】
長袖衣類の両袖の先端部に親指を入れる為の穴を形成した。
【発明の効果】
【０００８】
上述の通り本発明の長袖衣類は、洋服等を着る前に穴に親指を入れておくことで袖を通した際に生じていた袖の捲くれ上がりを防止することができるので、袖口を引き下げる手間が無くなる為、子供や老人にも実用性がある。
【０００９】
幼児においても、この長袖衣類を用いると比較的簡単に重ね着する事が出来るようになる為、早期から自分で着替えをする練習にもつながることが期待できる。
【００１０】
また、捲くれ上がった袖を引き下げる手間がなくなるので、着替えの補助をする側にとっても好適である。
【図面の簡単な説明】
【００１１】
【図１】本発明の両袖先端部に親指を入れる為の穴を形成した長袖衣類の正面図
【発明を実施するための形態】
【００１２】
図において、１は長袖衣類例えば長袖Ｔシャツであって、両方の袖２の先端部に親指を入れる為の穴３が設けられている。４は穴３の周縁部がほつれないように形成されたかがり部で、バイヤステープ等を用いて処理すると更に見栄え良く仕上がる。
【００１３】
次にこの長袖Ｔシャツ１の上に、別の長袖衣類を重ねて着用する場合について説明する。まず、穴３に親指を挿入した状態で重ねて着用する長袖衣類の袖に腕を通せば長袖Ｔシャツ１の袖２の先端部が捲くれ上がることなくスムーズに重ね着ができる。
【００１４】
この長袖衣類１を用いると、幼児でも比較的簡単に重ね着させることが出来るので、自分で衣類を着たり脱いだりさせる習慣を早期から身につけさせることに役立てる事が出来る。
【符号の説明】
【００１５】
１  長袖衣類
２  袖
３  親指を入れる為の穴
４  穴のかがり部
【図１】
2012052268.tif 000003
(57)【要約】【課題】屋内等、身近な所には、ぶら下がり紐が多々あり、紐の長さ調節は、紐を縛ったり、切り取ったり、継ぎ足したりして、長さを調節するのに、手間が掛かっていた。本発明は、簡単に早く、ぶら下がり紐の長さを調節することができる、ぶら下がり紐の長さ調節具を提供する。【解決手段】  バネ効果のあるワイヤーや弾力性のあるプラスチック樹脂等で、図１に示す形状に形成し、ぶら下がり紐の長さ調整具の、始めと終わりを、Ｕ字状にし、中間部には紐を巻きつける突起部を２箇所設け、図２に示すように、中間部の２箇所の突起部の底部に紐を巻き付け、始めと終わりを長さ調節具の始めと終わりのＵ字状溝に通す、ぶら下がり紐の長さ調節具を使用する。【選択図】図２
2012104461.tif 000002
【特許請求の範囲】
【請求項１】
バネ効果のあるワイヤーや弾力性のあるプラスチック樹脂等で形成した、ぶら下がり紐の長さ調節具の、始めと終わりを、Ｕ字状にし、中間部には突起部を２箇所設け、始めと終わりのＵ字状溝底と突起部の底部が一直線上になるように構成したことを特徴とする、ぶら下がり紐の長さ調節具。
【発明の詳細な説明】
【技術分野】
【０００１】  本発明は、電気器具のスイッチ類、ブラインド類、警報装置類等のぶら下がり紐の長さ調節具に関するものである。
【背景技術】
【０００２】  従来は、器具類の紐の長さを使用状態に合わせ、縛ったり、切り取ったり、継ぎ足したりして、紐の長さを調節していることが、知られている。
【発明の概要】
【発明が解決しようとする課題】
【０００３】  器具類の紐の長さを使用状態に合わせ、縛ったり、切り取ったり、継ぎ足したりして、紐の長さを調節していることは、使用状態が変われば何度も、調節する必要が生じる。
本発明は、以上の問題点を解決するためになされたものである。
【課題を解決するための手段】
【０００４】  バネ効果のあるワイヤーや弾力性のあるプラステック樹脂等で図１に示す形状に形成して、始めと終わりを、Ｕ字状にし、中間部には紐を巻き付ける突起部を２箇所設け、突起の底部間に紐を巻き付け、巻いた紐の始めと終わりを長さ調節具の始めと終わりのＵ字溝に通すように一直線上に構成した、ぶら下がり紐の長さ調節具を使用する。
【発明の効果】
【０００５】  本発明により、自由な位置にぶら下がり紐の長さ調節具を使用して、紐を巻き込んだり、巻き戻したりすることで、紐の長さを必要な長さに変えることができる。
【図面の簡単な説明】
【０００６】
【図１】  本発明の左側面図
【図２】  本発明の使用状態を示す左側面図
【発明を実施するための形態】
【０００７】  以下、本発明の実施の形態を説明する。
バネ効果のあるワイヤーや弾力性のあるプラスチック樹脂等で図１に示す形状に形成して、始めと終わりを、Ｕ字状にし、中間部には紐（２）を巻き付ける突起部（３）を２箇所設け、始めと終わりのＵ字状溝の底（４）と突起部（３）の底部（５）が一直線上になるように、構成する。
紐の長さ調節は、本発明のぶら下がり紐の長さ調節具（１）を上下方向に使用し自由な位置に配置し、紐を突起部（３）の底部（５）間に巻き込んだり、巻き戻したりして自由な長さに紐長さを調節し、始めと終わりをＵ字溝に通し、使用する。
【符号の説明】
【０００８】１  ぶら下がり紐の長さ調節具
２  紐
３  突起部
４  Ｕ字状溝の底
５  底部
【図１】
2012104461.tif 000003
【図２】
2012104461.tif 000004